(57)【要約】【課題】小型基地局に移行する端末、ネットワーク装置およびその動作方法を提供する。【解決手段】端末は、ＣＳＧ選択をネットワーク装置に要求する通信部と、ネットワーク装置から要求に対応するＣＳＧ選択応答メッセージを受信すれば、小型基地局を探索するノード探索部と、探索された小型基地局のうち選択された小型基地局にキャンプオンして、選択された小型基地局に移行するノード移行部とを含み、ネットワーク装置は、端末が接続可能な小型基地局を、ＲＦ信号を送出する活性化モードで動作するように制御して、活性化モードで動作する小型基地局のうち端末がキャンプオンしない小型基地局を、ＲＦ信号を送出しない非活性化モードで動作するように制御する。【選択図】図１
2011101361.tif 000002
【特許請求の範囲】
【請求項１】
端末からのＣＳＧ選択要求に応じて、前記端末が接続可能な小型基地局を検索するノードリスト検索部と、
前記接続可能な小型基地局を制御し、前記接続可能な小型基地局を活性化モードで動作させる第１制御部と、
前記接続可能な小型基地局を制御し、前記接続可能な小型基地局の中の第１の小型基地局に前記端末がキャンプオンされれば前記第１の小型基地局を前記活性化モードに維持し、前記端末がキャンプオンされない他の小型基地局を前記活性化モードから非活性化モードに切り替えて動作させる第２制御部と、
を含むネットワーク装置。
【請求項２】
前記第２制御部は、
前記第１の小型基地局を、ＲＦ信号を送出可能として動作させ、前記他の小型基地局を、ＲＦ信号を送出しない非活性化モードで動作させる、請求項１に記載のネットワーク装置。
【請求項３】
前記ノードリスト検索部は、
前記端末の位置情報を前記端末から受信して、前記位置情報を基準として前記端末と所定の距離内に位置する前記小型基地局を検索する、請求項１に記載のネットワーク装置。
【請求項４】
前記ノードリスト検索部は、
前記小型基地局との接続履歴に基づいて選択された前記小型基地局の識別情報を前記端末から受信して、前記識別情報に対応する前記小型基地局を検索する、請求項１に記載のネットワーク装置。
【請求項５】
前記ノードリスト検索部は、
前記端末が加入した前記小型基地局の識別情報を加入ノードリストサーバから受信し、前記受信した識別情報に基づいて前記小型基地局を検索する、請求項１に記載のネットワーク装置。
【請求項６】
前記第１制御部は、
ブート時にマクロセルからの信号を検出して非活性化モードで動作するすくなくとも一つの前記小型基地局に、活性化モードへの切り替えを要求する、請求項１に記載のネットワーク装置。
【請求項７】
前記第２制御部は、
前記第１の小型基地局は、前記端末によって選択される、請求項１に記載のネットワーク装置。
【請求項８】
ＣＳＧ選択要求をネットワーク装置に送信する通信部と、
前記ネットワーク装置から前記ＣＳＧ要求に対するＣＳＧ選択応答メッセージを受信して小型基地局を探索するノード探索部と、
前記探索された小型基地局のうち選択された小型基地局にキャンプオンがされ、前記選択された小型基地局に移行するノード移行部と、
を有し、
前記ネットワーク装置は、
前記端末が接続可能な小型基地局を制御し、ＲＦ信号を送出する活性化モードで動作させ、活性化モードで動作する前記小型基地局のうち端末がキャンプオンされない小型基地局を、ＲＦ信号を送出しない非活性化モードで動作させる端末。
【請求項９】
前記通信部は、
前記小型基地局との接続履歴に基づいて選択された小型基地局の識別情報、または、前記端末の位置情報を前記ネットワーク装置に送信する、請求項８に記載の端末。
【請求項１０】
マクロセルからの信号の検出の有無にしたがって、活性化モードまたは非活性化モードを決定し、決定されたモードにしたがってＲＦ信号の送出を制御し、ネットワーク装置から受信されるモード切り替え要求に応じて前記決定されたモードを切り替える、小型基地局。
【請求項１１】
前記モード切り替え要求は、端末がキャンプオンされた小型基地局を活性化モードで動作させ、前記端末がキャンプオンされない小型基地局を非活性化モードで動作させる、請求項１０に記載の小型基地局。
【請求項１２】
端末からのＣＳＧ選択要求に応じて、前記端末が接続可能な小型基地局を検索し、
前記接続可能な小型基地局を制御して活性化モードで動作させ、
前記接続可能な小型基地局の中の第１の小型基地局に前記端末がキャンプオンされるかを判断し、
前記判断の結果、キャンプオンされる場合、前記第１の小型基地局の活性化モードを維持し、キャンプオンされない他の小型基地局を活性化モードから非活性化モードに切り替えて、前記小型基地局を制御する、
ことを含むネットワーク装置の動作方法。
【請求項１３】
前記活性化モードを維持する小型基地局に、ＲＦ信号を送出させて動作させ、前記非活性化モードで動作する小型基地局に、前記ＲＦ信号を送出させないことを含む、請求項１２に記載のネットワーク装置の動作方法。
【請求項１４】
前記端末が接続可能な小型基地局を検索することは、
前記端末の位置情報を前記端末から受信して、前記位置情報を基準として前記端末と所定の距離内に位置する前記小型基地局を検索するステップを含む、請求項１２に記載のネットワーク装置の動作方法。
【請求項１５】
前記端末が接続可能な小型基地局を検索することは、
前記小型基地局との接続履歴に基づいて選択された小型基地局の識別情報を前記端末から受信して、前記識別情報に対応する小型基地局を検索することを含む、請求項１２に記載のネットワーク装置の動作方法。
【請求項１６】
前記端末が接続可能な小型基地局を検索することは、
前記端末が加入した小型基地局の識別情報を加入ノードリストサーバから受信し、前記識別情報に基づいて前記端末が加入した小型基地局を検索するステップを含む、請求項１２に記載のネットワーク装置の動作方法。
【請求項１７】
前記第１の小型基地局の活性化モードを維持することは、
ブート時にマクロセルからの信号を検出して非活性化モードで動作する前記小型基地局に活性化モードへの転換を要求し、非活性化モードで動作する前記小型基地局が活性化モードで動作するように制御するステップを含む、請求項１２に記載のネットワーク装置の動作方法。
【請求項１８】
前記端末がキャンプオンされるかを判断することは、
前記端末によって選択される小型基地局であるかを判断することを含む、請求項１２に記載のネットワーク装置の動作方法。
【発明の詳細な説明】
【技術分野】
【０００１】
本発明は、小型基地局に移行する端末、ネットワーク装置およびその動作方法に関し、より詳しくは、小型基地局を制御して小型基地局による端末への干渉を減少させる小型基地局に移行する端末、ネットワーク装置およびその動作方法に関する。
【背景技術】
【０００２】
従来技術において、小型基地局は、ブート時に活性化モード（ＲＦ信号を送出する状態）で動作し、ネットワーク装置は小型基地局の位置情報およびＲＦパラメータに関連する情報を管理する。
【０００３】
端末は、小型基地局に移行するために探索された小型基地局のうちの１つの小型基地局を選択し、選択した小型基地局に登録を要求する。そして、端末が、登録要求に対する受諾メッセージを小型基地局から受信すれば、前記小型基地局からサービスの提供を受けることができる。この時、端末は自動ＣＳＧ選択（Ａｕｔｏｍａｔｉｃ  Ｃｌｏｓｅｄ  Ｓｕｂｓｃｒｉｂｅｒ  Ｇｒｏｕｐ  ｓｅｌｅｃｔｉｏｎ ）方法を用いて、選択された基準によって自動で探索された小型基地局のうちの１つの小型基地局を選択してもよい。また、端末はマニュアルＣＳＧ選択（Ｍａｎｕａｌ  ＣＳＧ  ｓｅｌｅｃｔｉｏｎ）方法を用いて、探索された小型基地局リストを表示し、ユーザから入力された１つの小型基地局を選択してもよい。
【発明の概要】
【発明が解決しようとする課題】
【０００４】
ここで、活性化モードで動作する小型基地局のうちの１つの小型基地局だけが端末にサービスを提供するにも関わらず、サービスを提供する小型基地局以外の小型基地局が依然として活性化モードで動作する。
【０００５】
したがって、サービスを提供する小型基地局以外の小型基地局が活性化モードで動作し、不要なＲＦ信号を送出することによって、サービスの提供を受ける端末に干渉信号として影響を与えることがある。
【課題を解決するための手段】
【０００６】
本発明は、その一実施形態として、端末がキャンプオンされた小型基地局を活性化モードで動作させ、キャンプオンされない小型基地局を非活性化モードで動作させることによって、キャンプオンされない小型基地局から不要に送出されるＲＦ信号を遮断して、不要な干渉を最小化できる小型基地局に移行する端末、ネットワーク装置およびその動作方法を提供する。
【０００７】
本発明の一実施形態に係るネットワーク装置は、端末からのＣＳＧ選択要求に応じて、前記端末が接続可能な小型基地局を検索するノードリスト検索部と、前記接続可能な小型基地局を制御し、前記接続可能な小型基地局を活性化モードで動作させる第１制御部と、前記接続可能な小型基地局を制御し、前記接続可能な小型基地局の中の第１の小型基地局に前記端末がキャンプオンされれば前記第１の小型基地局を前記活性化モードに維持し、前記端末がキャンプオンされない他の小型基地局を前記活性化モードから非活性化モードに切り替えて動作させる第２制御部とを有する。
【０００８】
本発明の一実施形態に係るネットワーク装置の動作方法は、端末からのＣＳＧ選択要求に応じて、前記端末が接続可能な小型基地局を検索し、前記接続可能な小型基地局を制御して活性化モードで動作させ、前記接続可能な小型基地局の中の第１の小型基地局に前記端末がキャンプオンされるかを判断し、前記判断の結果、キャンプオンされる場合、前記第１の小型基地局の活性化モードを維持し、キャンプオンされない場合、他の小型基地局を活性化モードから非活性化モードに切り替えて、前記小型基地局を制御することを含む。
【発明の効果】
【０００９】
本発明の実施形態によれば、小型基地局は、ブート時にマクロセルからのＲＦ信号が検出される場合、非活性化モードで動作するため、サービスを行っていない小型基地局は他の小型基地局および端末に対して干渉する作用をすることがない。
【００１０】
また、本発明の実施形態によれば、端末がキャンプオンされた小型基地局を活性化モードで動作させ、キャンプオンされない小型基地局を非活性化モードで動作させることによって、キャンプオンされない小型基地局から不要に送出されるＲＦ信号を遮断して、不要な干渉を最小化することができる。
【図面の簡単な説明】
【００１１】
【図１】本発明の一実施形態に係る小型基地局に移行する端末、ネットワーク装置、端末および小型基地局間の関係を示す図である。
【図２】本発明の一実施形態に係る小型基地局に移行する端末およびネットワーク装置の構成を示す図である。
【図３】小型基地局に移行する端末およびネットワーク装置で用いられるＣＳＧ選択要求および応答メッセージの構成を示す図である。
【図４】小型基地局に移行する端末およびネットワーク装置で用いられるＣＳＧ選択要求および応答メッセージの構成を示す図である。
【図５】小型基地局に移行する端末およびネットワーク装置で用いられるＣＳＧ選択要求および応答メッセージの構成を示す図である。
【図６】本発明の一実施形態に係る小型基地局に移行する端末およびネットワーク装置の動作方法を示すシーケンス図である。
【発明を実施するための形態】
【００１２】
以下、添付された図面を参照して本発明の実施形態に係る、小型基地局に移行する端末、ネットワーク装置およびその動作方法に対して詳細に説明する。
【００１３】
図１は、本発明の一実施形態に係る、小型基地局に移行する端末、ネットワーク装置、端末および小型基地局間の関係を示す図である。図２は、本発明の一実施形態に係る、小型基地局に移行する端末およびネットワーク装置の構成を示す図である。
【００１４】
図１および図２を参照すれば、本発明の一実施形態に係るシステム１００は端末１０１、ネットワーク装置１０３および小型基地局１０５＿１〜１０５＿ｎを含む。
【００１５】
端末１０１は、通信部２０１、ノード探索部２０３およびノード移行部２０５を含む。
【００１６】
通信部２０１は、ＣＳＧ選択要求（Ｃｌｏｓｅｄ  Ｓｕｂｓｃｒｉｂｅｒ  Ｇｒｏｕｐ）をネットワーク装置１０３に送信し、小型基地局の探索開始を要求する。この時、通信部２０１は、基地局を介してネットワーク装置１０３と通信してもよい。
【００１７】
具体的には、通信部２０１は、図３に示すＣＳＧ選択要求メッセージをネットワーク装置１０３に送信し、小型基地局の探索開始を要求してもよい。
【００１８】
図３を参照すれば、ＣＳＧ選択要求メッセージは、メッセージのヘッダ（ｈｅａｄｅｒ）、端末の識別情報を示す端末ＩＤ（Ｕｓｅｒ  Ｅｑｕｉｐｍｅｎｔ  ＩＤ）および必要なパラメータ（ｐａｒａｍｅｔｅｒ）を含んでいてもよい。ここで、ＣＳＧ選択要求メッセージは図３に限定されることなく、図４に示すように小型基地局の識別情報を示す小型基地局ＩＤ（ＣＳＧ  ＩＤ）または、端末の位置情報（ＵＥ位置情報）をさらに含んでいてもよい。
【００１９】
ノード探索部２０３は、ネットワーク装置１０３から小型基地局の探索開始要求に対する応答を受信すれば、小型基地局を探索する。この時、ノード探索部２０３は、通信部２０１を介して、図５に示すＣＳＧ選択応答（ＣＳＧ  ｓｅｌｅｃｔｉｏｎ  ｒｅｓｐｏｎｓｅ）メッセージを受信して、小型基地局の探索開始要求に対する応答を受信してもよい。図５を参照すれば、小型基地局の探索開始要求に対する応答メッセージは、メッセージのヘッダ（ｈｅａｄｅｒ）、端末の識別情報を示す端末ＩＤ（Ｕｓｅｒ  Ｅｑｕｉｐｍｅｎｔ  ＩＤ）およびネットワーク装置１０３に活性化モードを要求した小型基地局の結果（受諾または拒否）を含んでもよい。
【００２０】
また、ノード探索部２０３は、マニュアルＣＳＧ選択（Ｍａｎｕａｌ  ＣＳＧ  ｓｅｌｅｃｔｉｏｎ）動作を行って、電力測定（ｐｏｗｅｒ  ｍｅａｓｕｒｅｍｅｎｔ）によって周辺に位置する小型基地局を探索し、探索した小型基地局リストを表示するように動作してもよい。
【００２１】
ノード移行部２０５は、探索された小型基地局から選択された小型基地局への登録を行って、選択された小型基地局に移行する。具体的には、ノード移行部２０５は、ユーザから小型基地局リストのうち１つの小型基地局の選択を受けて、選択された小型基地局から登録要求に対する受諾メッセージを受信すると、キャンプオン（Ｃａｍｐ  Ｏｎ）がされて小型基地局からサービスの提供を受けてもよい。
【００２２】
小型基地局１０５＿１〜１０５＿ｎのそれぞれは、図示されていないトランシーバを備え、信号の送受信を行い、また、制御装置を備え、活性化モードと非活性化モードとのいずれかを決定し、ＲＦ信号の送出を制御し、小型基地局のモードを切り替える。小型基地局１０５＿１〜１０５＿ｎそれぞれの制御装置は、小型基地局１０５＿１〜１０５＿ｎがマクロセルからの信号を検出するかどうかに応じて、小型基地局１０５＿１〜１０５＿ｎのモードを活性化モードまたは非活性化モードに決定するようになっていてもよい。制御装置は、決定されたモードに基づいて小型基地局１０５＿１〜１０５＿ｎのＲＦ信号の送出を制御するようになっていてもよく、すなわち、小型基地局１０５＿１〜１０５＿ｎは、活性化モードにおいてＲＦ信号を送出し、非活性化モードにおいてＲＦ信号を送出しないようになっていてもよい。小型基地局１０５＿１〜１０５＿ｎの制御装置は、ネットワーク装置１０３から受信されるモード切り替え要求に応じて、小型基地局１０５＿１〜１０５＿ｎのモードを切り替えるようになっていてもよい。
【００２３】
ネットワーク装置１０３は、ノードリスト検索部２１１、第１制御部２１３および第２制御部２１５の第２制御部を含む。
【００２４】
ノードリスト検索部２１１は、ネットワークから端末（Ｕｓｅｒ  Ｅｑｕｉｐｍｅｎｔ（ＵＥ））の小型基地局の探索開始要求と連動して、端末１０１が接続可能な小型基地局を検索する。この時、ノードリスト検索部２１１は、端末１０１から、基地局を介して小型基地局の探索開始要求を受信すれば、端末１０１の識別情報を用いて端末１０１が加入した小型基地局を検索してもよい。
【００２５】
例えば、ノードリスト検索部２１１は、端末１０１から、小型基地局の探索開始要求を受ければ、端末１０１の識別情報を用いて小型基地局＃１〜小型基地局＃ｎ（１０５＿１〜１０５＿ｎ）のうち端末１０１が加入した小型基地局＃１（１０５＿１）および小型基地局＃２（１０５＿２）を検索してもよい（なお、ｎは自然数である）。
【００２６】
この時、ノードリスト検索部２１１は、端末１０１が加入した小型基地局１０５＿１〜１０５＿ｎの識別情報を、加入ノードリストサーバ（図示せず）から受信してもよい。また、識別情報に基づいて、端末１０１が加入した小型基地局１０５＿１〜１０５＿ｎを検索してもよい。
【００２７】
ノードリスト検索部２１１は、端末１０１から端末１０１の位置情報を受信して、位置情報を基準として端末と所定の距離内に位置する小型基地局を検索してもよい。また、ノードリスト検索部２１１は、小型基地局への接続に関する接続履歴に基づいて選択された小型基地局の識別情報を、端末１０１から受信し、識別情報に対応する小型基地局を検索することもできる。ここで、ノードリスト検索部２１１は、小型基地局の探索開始要求の時に受信されるＣＳＧ選択要求メッセージから、端末１０１の位置情報、または小型基地局の識別情報を抽出してもよい。
【００２８】
第１制御部２１３は、検索された小型基地局１０５＿１〜１０５＿ｎに活性化モード要求を送信し、検索された小型基地局１０５＿１〜１０５＿ｎが活性化モードで動作するように小型基地局１０５＿１〜１０５＿ｎを制御する。この時、検索された小型基地局は活性化モードまたは非活性化モードで動作してもよいが、第１制御部２１３の制御によって全て活性化モードで動作してもよい。
【００２９】
例えば、第１制御部２１３は、小型基地局＃１（１０５＿１）および小型基地局＃２（１０５＿２）が検索されれば、検索された小型基地局＃１（１０５＿１）および小型基地局＃２（１０５＿２）が活性化モードで動作するように制御する。ここで、小型基地局１０５＿１〜１０５＿ｎの活性化モードは、ＲＦ（Ｒａｄｉｏ  Ｆｒｅｑｕｅｎｃｙ）信号を送出し、端末１０１にサービスを提供することが可能な状態を意味してもよい。一方、小型基地局の非活性化モードは、ＲＦ信号を送出せず、端末１０１にサービスを提供することが不可能な状態を意味してもよい。小型基地局１０５＿１〜１０５＿ｎはネットワーク装置１０３によって活性化モードまたは非活性化モードに切り替え可能であってもよい。
【００３０】
また、第１制御部２１３は、活性化モードを要求した小型基地局１０５＿１〜１０５＿ｎのから、活性化モード要求に対する応答を受信すれば、小型基地局のＣＳＧ選択応答メッセージを端末１０１に送信してもよい。小型基地局１０５＿１〜１０５＿ｎから送信される活性化モード要求に対する応答は、例えば、活性化モードを受諾する旨のメッセージであってもよい。
【００３１】
第２制御部２１５は、端末１０１がキャンプオンされた小型基地局１０５＿１〜１０５＿ｎの一つを活性化モードに維持し、端末１０１がキャンプオンされない小型基地局を活性化モードから非活性化モードに切り替えて動作するように、小型基地局を制御する。
【００３２】
この時、第２制御部２１５は、小型基地局１０５＿１〜１０５＿ｎからＣＳＧ選択完了（ＣＳＧ  ｓｅｌｅｃｔｉｏｎ  ｃｏｍｐｌｅｔｅ）メッセージを受信すれば、小型基地局１０５＿１〜１０５＿ｎの一つに、端末がキャンプオンされたことを検出する。ここで、端末１０１がキャンプオンされた小型基地局１０５＿１〜１０５＿ｎの一つは、端末１０１によって選択された小型基地局である。
【００３３】
例えば、第２制御部２１５は、端末１０１がキャンプオンされた小型基地局＃１（１０５＿１）を活性化モードで動作するように小型基地局＃１（１０５＿１）を制御し、端末１０１がキャンプオンされない小型基地局＃２（１０５＿２）を活性化モードから非活性化モードに切り替えて動作するように小型基地局＃２（１０５＿２）を制御する。
【００３４】
したがって、第２制御部２１５は、端末１０１にサービスを提供しない小型基地局を非活性化モードで動作させ、端末１０１に影響を与え得る不要な干渉を減少させることができる。
【００３５】
小型基地局１０５＿１〜１０５＿ｎのそれぞれは、始めに、マクロセルからの信号を検出するかどうかによって決定されるモードでブートし動作してもよい。例えば、小型基地局１０５＿１〜１０５＿ｎが、ブート時にマクロセルからのＲＦ信号を検出する場合には、干渉を減少させるために非活性化モードで動作してもよい。また、小型基地局１０５＿１〜１０５＿ｎは、ブート時にマクロセルからのＲＦ信号を検出しない場合には、デッドスポット（ｄｅａｄ  ｓｐｏｔ）あるいはサービスエリア外をカバーするために活性化モードで動作してもよい。
【００３６】
以後、小型基地局１０５＿１〜１０５＿ｎは、ネットワーク装置１０３によって活性化モードまたは非活性化モードのいずれかのモードで動作するよう制御されてもよい。この時、小型基地局１０５＿１〜１０５＿ｎは、非活性化モードで動作する場合、ネットワーク装置１０３から活性化モード要求を受信すれば、モードを切り替えて活性化モードで動作してもよい。
【００３７】
本実施形態に係る小型基地局は、マクロセルからの信号の検出の有無にしたがって、活性化モード、または非活性化モードを決定し、決定されたモードにしたがってＲＦ信号の送出を制御し、ネットワーク装置１０３から受信されるモード切り替え要求によって前記決定されたモードを切り替えることができる。この時、前記モード切り替え要求は、端末がキャンプオンされた小型基地局を活性化モードで動作させるようにし、前記端末がキャンプオンされない小型基地局を非活性化モードで動作させることもできる。
【００３８】
また、小型基地局１０５＿１〜１０５＿ｎは、活性化モードで動作する状態で、いずれかの小型基地局に端末１０１がキャンプオンされた場合、その小型基地局は、ネットワーク装置１０３によって活性化モードに維持され、端末１０１がキャンプオンされない場合、ネットワーク装置１０３によって活性化モードから非活性化モードに切り替えられた状態で動作してもよい。
【００３９】
本発明の実施形態によれば、小型基地局はブート時にマクロセルからのＲＦ信号を検出すると、非活性化モードで動作するため、サービスの提供を端末１０１に行っていない小型基地局は、他の小型基地局および端末に対する干渉源として作用しない。また、本発明の実施形態によれば、端末がキャンプオンされた小型基地局を活性化モードで動作させ、キャンプオンされない小型基地局を非活性化モードで動作させることによって、キャンプオンされない小型基地局がＲＦ信号を送出しないようにし、不要な干渉を最小化することができる。
【００４０】
図６は、本発明の一実施形態に係る小型基地局に移行する端末およびネットワーク装置の動作方法を示すシーケンス図である。
【００４１】
図６を参照すれば、まず、端末１０１は、小型基地局１０５＿１〜１０５＿ｎの探索を開始するために、基地局を介してＣＳＧ選択要求（ＣＳＧ  ｓｅｌｅｃｔｉｏｎ  ｒｅｑｕｅｓｔ）メッセージをネットワーク装置１０３に送信する（Ｓ６０１）。
【００４２】
ネットワーク装置１０３は、端末１０１から基地局を介してＣＳＧ選択要求（ＣＳＧ  ｓｅｌｅｃｔｉｏｎ  ｒｅｑｕｅｓｔ）メッセージを受信すれば、端末が接続可能な小型基地局を検索する（Ｓ６２１）。また、ネットワーク装置１０３は、ＣＳＧ選択要求メッセージに含まれる端末１０１の識別情報を用いて端末１０１が加入した小型基地局を検索してもよい。あるいは、ネットワーク装置１０３は、端末１０１が加入した小型基地局の識別情報を、加入ノードリストサーバから受信することもできる。
【００４３】
ネットワーク装置１０３は、端末１０１の位置情報を端末１０１から受信して、位置情報を基準として端末１０１から所定の距離内に位置する小型基地局を検索してもよい。
【００４４】
また、ネットワーク装置１０３は、小型基地局への接続に関する接続履歴に基づいて選択された小型基地局の識別情報を端末１０１から受信して、識別情報に対応する小型基地局を検索することもできる。ここで、ノードリスト検索部２１１は、小型基地局の探索開始要求のために送信されたＣＳＧ選択要求メッセージから、端末１０１の位置情報、または小型基地局の識別情報を抽出してもよい。
【００４５】
ネットワーク装置１０３は、検索された小型基地局に活性化モード要求を送信し、検索された小型基地局が活性化モードで動作するように小型基地局を制御する。この時、検索された小型基地局は、活性化モードまたは非活性化モードで動作してもよいが、検索された小型基地局の全てが、ネットワーク装置１０３の制御によって活性化モードで動作してもよい。
【００４６】
ネットワーク装置１０３は、活性化モード要要求（Ａｃｔｉｖｅ  ｍｏｄｅ  ｒｅｑｕｅｓｔ）メッセージを小型基地局＃１（１０５＿１）および小型基地局＃２（１０５＿２）のそれぞれ送信する（Ｓ６０３）。
【００４７】
ここで、小型基地局＃１（１０５＿１）および小型基地局＃２（１０５＿２）は、始めにマクロセルからの信号の検出の有無に応じて決定されたモードでブートして動作してもよい。例えば、小型基地局＃１（１０５＿１）および小型基地局＃２（１０５＿２）は、ブート時にマクロセルからのＲＦ信号を検出すると、干渉を最小化するためにＲＦ信号を送出しない非活性化モードで動作してもよい。これによりＳ６２３−１、Ｓ６２３−２に示されるように干渉を減少することができる。この時、マクロセルからの信号の検出の有無は、小型基地局のアンテナを介してＲＦ信号を検出したりネットワーク装置１０３からの小型基地局が設置された位置情報を用いて、小型基地局がＲＦ信号の影響を受けるか検出したりして決定してもよい。一方、小型基地局＃１（１０５＿１）および小型基地局＃２（１０５＿２）が、ブート時にマクロセルからのＲＦ信号を検出できない場合、デッドスポット（ｄｅａｄ  ｓｐｏｔ）あるいはサービスエリア外をカバーするために活性化モードで動作してもよい。
【００４８】
小型基地局＃１（１０５＿１）および小型基地局＃２（１０５＿２）が、非活性化モードで動作する状態で、活性化モード要求メッセージを受信すれば、活性化モードで動作してＲＦ信号を送出し（Ｓ６２７＿１、Ｓ６２７＿２）、活性化モード要求に対する応答メッセージをネットワーク装置１０３にそれぞれ送信してもよい（Ｓ６０５）。例えば、小型基地局＃１（１０５＿１）および小型基地局＃２（１０５＿２）は、Ｓ６０５の処理において、ネットワーク装置１０３に活性化モードを承諾する旨のメッセージを送信してもよい。
【００４９】
ネットワーク装置１０３が、小型基地局＃１（１０５＿１）および小型基地局＃２（１０５＿２）から活性化モード要求に対する応答メッセージを受信すれば、端末１０１にＣＳＧ選択応答（ＣＳＧ  ｓｅｌｅｃｔｉｏｎ  ｒｅｓｐｏｎｓｅ）メッセージを送信してもよい（Ｓ６０７）。
【００５０】
端末１０１は、マニュアルＣＳＧ選択（Ｍａｎｕａｌ  ＣＳＧ  ｓｅｌｅｃｔｉｏｎ）動作を行って、探索した小型基地局リストを表示し、小型基地局リストのうちユーザから入力された１つの小型基地局を選択してもよい（Ｓ６２９）。そして、端末１０１は、選択された小型基地局、例えば小型基地局＃１（１０５＿１）に登録要求（ｒｅｇｉｓｔｒａｔｉｏｎ  ｒｅｑｕｅｓｔ）メッセージを送信する（Ｓ６０９）。端末１０１が、小型基地局＃１（１０５＿１）から登録要求に対する受諾（ｒｅｇｉｓｔｒａｔｉｏｎ  ａｃｃｅｐｔ）メッセージを受信すれば（Ｓ６１１）、キャンプオン（Ｃａｍｐ  Ｏｎ）して小型基地局＃１（１０５＿１）からサービスの提供を受けてもよい（Ｓ６３１）。登録要求メッセージに対して小型基地局＃１（１０５＿１）から送信される応答メッセージは、位置登録受諾メッセージ（ｌｏｃａｔｉｏｎ  ｒｅｇｉｓｔｒａｔｉｏｎ  ａｃｃｅｐｔ  ｍｅｓｓａｇｅ）であってもよい。
【００５１】
ネットワーク装置１０３は、小型基地局に端末１０１がキャンプオンされるかを判断する。この時、端末１０１がキャンプオンされた小型基地局は、端末１０１によって選択されたことを意味する。
【００５２】
そして、ネットワーク装置１０３は，小型基地局に端末１０１がキャンプオンされれば小型基地局の活性化モードを維持し、小型基地局に端末１０１がキャンプオンされなければ小型基地局が活性化モードから非活性化モードに切り替えて動作するように小型基地局を制御する。図６に示されるように、ネットワーク装置１０３が、小型基地局＃１（１０５＿１）からＣＳＧ選択完了メッセージを受信すれば（Ｓ６１３）、端末１０１によってキャンプオンされた小型基地局、すなわちＣＳＧ選択完了メッセージを送信した小型基地局＃１（１０５＿１）を、活性化モードを維持するように小型基地局＃１（１０５＿１）を制御する。
【００５３】
また、ネットワーク装置１０３は、非活性化モード要求（Ｉｎａｃｔｉｖｅ  ｍｏｄｅ  ｒｅｑｕｅｓｔ）メッセージを、端末１０１がキャンプオンされない小型基地局、すなわち小型基地局＃２（１０５＿２）に送信し、活性化モードから非活性化モードに切り替えて動作するように小型基地局＃２（１０５＿２）を制御する（Ｓ６１５）。
【００５４】
小型基地局＃２（１０５＿２）は、非活性化モード要求メッセージを受信すれば、活性化モードから非活性化モードに切り替えて動作し（Ｓ６３３）、活性化モードを受諾する旨（Ｉｎａｃｔｉｖｅ  ｍｏｄｅ  ＯＫ）のメッセージをネットワーク装置１０３に送信してもよい（Ｓ６１７）。
【００５５】
本発明に係る実施形態は、多様なコンピュータ手段を介して実行することができるプログラムを構成する命令（インストラクション）の列により具現され、そのような命令の列は、コンピュータ読取可能な記録媒体に記録することができる。前記コンピュータ読取可能な媒体は、プログラムを構成する命令、データファイル、データ構造などを単独または組み合わせて含むこともできる。前記媒体に記録されるプログラムを構成する命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フレキシブルディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラムを構成する命令を保存して実行するように特別に構成されたハードウェア装置が含まれる。プログラムを構成する命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェア階層で作動するように構成され、その逆も同様である。
【００５６】
上述したように、本発明を、図面を参照して実施形態によって説明したが、本発明は、上記の実施形態に限定されることなく、本発明が属する分野における通常の知識を有する者であれば、このような実施形態に対して多様な修正および変形が可能である。
【００５７】
したがって、本発明の範囲は説明された実施形態に限定されて解釈されるべきではない。また、特許願に添付する特許請求の範囲だけでなく、この特許請求の範囲と均等なものなどによって定められなければならない。
【符号の説明】
【００５８】
１０１：端末
１０３：ネットワーク装置
１０５＿１：小型基地局＃１
１０５＿２：小型基地局＃２
２０１：通信部
２０３：ノード探索部
２０５：ノード移行部
２１１：ノードリスト検索部
２１３：第１制御部
２１５：第２制御部
【図１】
2011101361.tif 000003
【図２】
2011101361.tif 000004
【図３】
2011101361.tif 000005
【図４】
2011101361.tif 000006
【図５】
2011101361.tif 000007
【図６】
2011101361.tif 000008